(57)【特許請求の範囲】
【請求項１】
過酸化水素水を収容した容器本体と、この容器本体の口部をシールするシート状のシール手段とを備え、
このシール手段は、上記容器本体内の過酸化水素水の通過は阻止するが酸素の通過は許容し、かつ該シール手段は、上記容器本体内の過酸化水素水を外部に供給する供給管の先端部が突き刺し可能となっていることを特徴とする過酸化水素水の収容容器。
【請求項２】
上記シール手段は、上記容器本体の口部をシールするシート状部材と、このシート状部材の一部に開口された開口部と、この開口部を覆う不織布とを備えており、
上記不織布は、上記容器本体内の過酸化水素水の通過は阻止するが酸素の通過は許容するようになっており、かつ、上記シート状部材と不織布との少なくともいずれか一方は、上記供給管の先端部が突き刺し可能となっていることを特徴とする請求項１に記載の過酸化水素水の収容容器。
【請求項３】
上記容器本体の材質はポリエチレン、シート状部材の材質はポリエチレン層を有するラミネートフィルム、上記不織布は０．５〜１０μｍのポリエチレンの連続性極細繊維に高熱を加えて結合させたシートであって、かつ、上記容器本体とシート状部材のポリエチレン層とが熱溶着されるとともに、シート状部材のポリエチレン層と不織布とが熱溶着されていることを特徴とする請求項２に記載の過酸化水素水の収容容器。
【請求項４】
上記容器本体の口部に上記シール手段を覆うオーバーキャップが設けられ、このオーバーキャップに上記供給管を挿通させる貫通孔が形成されていることを特徴とする請求項１ないし請求項３のいずれかに記載の過酸化水素水の収容容器。
【請求項５】
上記容器本体の底面は下方に突出した円錐面となっており、この円錐面の下端最深部と上記貫通孔とは、容器本体の中央部に軸方向に揃えて形成されていることを特徴とする請求項４に記載の過酸化水素水の収容容器。
【発明の詳細な説明】
【技術分野】
【０００１】
本発明は過酸化水素水の収容容器に関し、より詳しくは、過酸化水素水を安全かつ容易に使用できるようにした過酸化水素水の収容容器に関する。
【背景技術】
【０００２】
従来から、過酸化水素水を収容した収容容器は市販されている。過酸化水素水は徐々に酸素と水とに自然分解するので、過酸化水素水の収容容器のキャップにはガス抜き機能が設けられている（例えば特許文献１）。
市販されている収容容器は上記特許文献１のキャップとは異なる構造を有しているが、やはりガス抜き機能を備えている。この収容容器は、例えば３５％の濃度を有する過酸化水素水を収容する容器本体と、その口部をシールするキャップとを備えており、このキャップは上記口部に着脱自在に螺合されるアウターキャップと、このアウターキャップ内に設けられたインナーキャップとから成っている。そしてインナーキャップの一部に開口部が形成されており、この開口部に、過酸化水素水の通過は阻止するが酸素の通過は許容する不織布が設けられている。
容器本体内で発生した酸素は、上記不織布とインナーキャップの開口部とを介してインナーキャップの外部に、すなわちインナーキャップとアウターキャップとの間の空間内に逃げ、さらにアウターキャップの内面に設けられた逃がし溝を介して、上記インナーキャップとアウターキャップとの間の空間から大気中に逃げることができるようになっている。
【０００３】
上記過酸化水素水は、例えばこれを蒸気化して殺菌を行うようにした過酸化水素蒸気滅菌システムの殺菌液として用いられている（特許文献２）。一般に、市販されている過酸化水素水は、５００ｇ又は１ｋｇが最少容量となっているが、１ｍ３程度の殺菌空間を殺菌するには、約２５ｇ以下の少量の過酸化水素水が必要となっている。
このため、上記滅菌システムで例えば２５ｇの過酸化水素水を用いる場合には、上記キャップを、すなわち一体となっているインナーキャップとアウターキャップとを上記容器本体から取り外し、容器本体内から重量計の計量カップに、２５ｇの過酸化水素水となるように計量しながら該過酸化水素水を計量カップに注ぎ、２５ｇの過酸化水素水が計量カップに得られたら、上記キャップを容器本体の口部に螺着する。
そして計量カップの過酸化水素水を上記滅菌システムに供給する一方、過酸化水素水を収容した収容容器は冷暗所や冷蔵庫に保管される。
【特許文献１】実開昭６３−１９７８６１号公報
【特許文献２】特公平５−６６１４２号公報
【発明の開示】
【発明が解決しようとする課題】
【０００４】
従来の過酸化水素水の収容容器は、キャップを取り外してその容器本体内部から過酸化水素水を取り出して使用することを前提としていたので、過酸化水素水をこぼす危険性があり、その取り扱いが煩雑であった。
本発明はそのような事情に鑑み、取り扱いが容易な過酸化水素水の収容容器を提供するものである。
【課題を解決するための手段】
【０００５】
すなわち請求項１の発明は、過酸化水素水を収容した容器本体と、この容器本体の口部をシールするシート状のシール手段とを備え、
このシール手段は、上記容器本体内の過酸化水素水の通過は阻止するが酸素の通過は許容し、かつ該シール手段は、上記容器本体内の過酸化水素水を外部に供給する供給管の先端部が突き刺し可能となっていることを特徴とするものである。
【発明の効果】
【０００６】
請求項１の発明によれば、上記シール手段は供給管の先端部が突き刺し可能となっているので、該シール手段を取り外すことなく供給管の先端部をシール手段に突き刺すだけで、容器本体内部の過酸化水素水を容易に外部に供給することができるようになる。したがって、その取り扱いを容易なものとすることができる。
また、上記シール手段は過酸化水素水の通過を阻止するので、当然のことながら収容容器が転倒したとしても、過酸化水素水が外部に漏洩することはない。
そして該シール手段は酸素の通過を許容するようになっているので、過酸化水素水が徐々に酸素と水とに自然分解してもその酸素はシール手段を介して外部に逃げるようになり、容器本体内の圧力が上昇することはない。したがって、供給管の先端部を突き刺すことができるような相対的に剛性の低いシール手段を用いても、該シール手段が容器本体内の圧力上昇によって破損されるのを防止することができる。
【発明を実施するための最良の形態】
【０００７】
以下、図示実施例について本発明を説明すると、図１において、過酸化水素水の収容容器１は、過酸化水素水を収容する有底円筒状の容器本体２を備えており、この容器本体２の口部をシート状のシール手段３でシールしている。
上記シール手段３は、図２に示すように、上記容器本体２の口部をシールするシート状部材４と、このシート状部材４の中央部に開口させた開口部４ａと、この開口部４ａを覆う不織布５とを備えている。
上記不織布５は、上記容器本体２内に収容された過酸化水素水の通過は阻止するが、酸素並びに水蒸気の通過は許容するようになっており、また上記シート状部材４と不織布５との少なくともいずれか一方は、図３に示すように、上記容器本体２内の過酸化水素水を外部に供給する供給管６の先端部６ａが突き刺し可能となっている。この供給管６の先端部６ａは、シール手段３に突き刺し易いように尖らせてあり、また突き刺した際にその先端部６ａが容器本体２の底部付近まで届く長さを有している。
【０００８】
上記容器本体２の材質は、過酸化水素水に対する安定性に優れたポリエチレンを用いることが望ましく、また、シート状部材４の材質はアルミ層とポリエチレン層とから成るラミネートフィルムが好ましい。上記アルミ層はシート状部材４の表面を覆うバリア層であり、またポリエチレン層は溶着されるシーラント層である。このラミネートフィルムは、過酸化水素水も酸素も通過させることはない。
さらに、上記不織布５の材質はタイベック（登録商標）を用いることが好ましい。このタイベックは、０．５〜１０μｍのポリエチレンの連続性極細繊維に高熱を加えて結合させたシートであって、過酸化水素水の通過は阻止するが、酸素の通過は許容する性質を有している。
そしてラミネートフィルムとタイベックとを選択した場合には、両者のいずれにも、供給管６の先端部６ａを突き刺すことが可能である。
【０００９】
上記シート状部材４のポリエチレン層は上記容器本体２に熱溶着されて容器本体２の口部に固着されており、またシート状部材４のポリエチレン層と不織布５も熱溶着によって一体に連結されている。
上記ポリエチレン層を有するラミネートフィルムは、ポリエチレン層の厚さを種々に異ならせたものが市販されているので、好適な厚さのポリエチレン層を有するラミネートフィルムを容易に選択することができる。
そしてこのポリエチレン層はポリエチレン製の容器本体２と同材質となるので、好適な厚さのポリエチレン層を選択することによって両者を良好かつ容易に熱溶着させることができる。同様に、このポリエチレン層は、ポリエチレンを用いたタイベック（不織布５）とも同材質となるので、やはり両者を良好かつ容易に熱溶着させることができる。
【００１０】
さらに本実施例においては、上記容器本体２の口部に上記シール手段３を覆うポリエチレン製のオーバーキャップ８を取り付けてあり、このオーバーキャップ８によって剛性の低いシール手段３を保護することができるようにしてある。
上記オーバーキャップ８は、円形状の天面部８ａと、この天面部８ａの周囲から下方に伸びる筒状部８ｂとを備えており、この筒状部８ｂの内周面に円周方向に延びる係合溝８ｃを形成している。
他方、容器本体２の口部の外周面に円周方向に延びる係合凸部２ａを形成してあり、上記オーバーキャップ８を容器本体２の口部にその上方から強く被せながら、オーバーキャップ８の係合溝８ｃを容器本体２の口部の係合凸部２ａに係合させることによって、該オーバーキャップ８を容器本体２の口部に取り付けている。
上記オーバーキャップ８は容器本体２の口部から取り外す必要がないので、該オーバーキャップ８を容器本体２の口部から取り外しにくくするためにオーバーキャップ８を強く被せて両者を係合させるようにしているが、もし必要であれば、両者をねじや公知のバヨネットなどの手段で連結すればオーバーキャップ８を容器本体２の口部から容易に取り外すことができるようになる。
【００１１】
上記オーバーキャップ８は、上記供給管６の先端部を突き刺すことができないような充分な剛性を有しており、それによって剛性の低いシール手段３を保護することができるようにしてある。
他方、上記オーバーキャップ８は供給管６の先端部を突き刺すことができないので、該オーバーキャップ８の中央部に、上記不織布５に重合させた位置に、上記供給管６を挿通させるための貫通孔８ｄを形成してある。
そして、上記容器本体２の底面は下方に突出した円錐面２ｂとなっており、この円錐面２ｂの下端最深部２ｃを底面の中央部とすることにより、該下端最深部２ｃと上記貫通孔８ｄとを容器本体２の中央部に軸方向に揃えて形成してある。上記円錐面２ｂはその頂点の角度が９０度であることが好ましい。
【００１２】
以上の構成において、過酸化水素水は容器本体２内に収容されており、その口部はシート状のシール手段３によってシールされている。また容器本体２の口部にはオーバーキャップ８が固定されている。
上記容器本体２内には、予め５ｇ、１０ｇ、１５ｇ、２０ｇ、２５ｇといった重量の過酸化水素水を収容しておくことが好ましく、これによってユーザーは過酸化水素水をその都度計量しなくてもすぐに使える状態で安全に保管することができる。
そしてこの状態では、上記シール手段３は過酸化水素水の通過を阻止するので、仮に収容容器１が転倒されたとしても、過酸化水素水が外部に洩れることはない。
【００１３】
また、容器本体２内に収容された過酸化水素水は、徐々に酸素と水とに自然分解するので容器内の圧力が上昇するようになる。このとき、仮にラミネートフィルムのみのように、上記供給管６を突き刺し可能な柔らかな材質ではあるが、酸素を通過させないシート状部材で容器本体２の口部をシールした場合には、上記圧力上昇によってシート状部材が膨らんでしまい、特にシート状部材と容器口部との接着部分が破損されてしまう危険性があった。
これに対し、タイベックのような不織布５は酸素の通過を許容するので、容器内の圧力上昇は低く保たれ、したがってシール手段３が破損されることを防止することができる。
【００１４】
上記収容容器１を使用する際には、上記シール手段３は供給管６の先端部６ａが突き刺し可能となっているので、シール手段３を取り外すことなく供給管６の先端部６ａをオーバーキャップ８の貫通孔８ｄを介してシール手段３に突き刺せばよい。
これにより、容器本体２内部の過酸化水素水を従来のように直接取り扱うことなく、安全かつ容易に上記供給管６を介して外部に供給することができる。
またこのとき、上記オーバーキャップ８の貫通孔８ｄと容器本体２の底面に形成した円錐面２ｂの下端最深部２ｃとを容器本体２の中央部に軸方向に揃えて形成してあるので、供給管６を貫通孔８ｄから容器本体２の軸方向に突き刺すことにより、該供給管６の先端部６ａを上記円錐面２ｂの下端最深部２ｃに容易に案内することができる。
これにより、容器本体２内に収容された過酸化水素水の殆ど全てを上記供給管６から吸い上げることが可能となる。
【００１５】
なお、上記実施例ではシール手段３をシート状部材４と不織布５とから構成しているが、これに限定されるものではなく、シート状部材４を省略して不織布５のみによって容器本体２の口部をシールするようにしても良い。
【図面の簡単な説明】
【００１６】
【図１】本発明の一実施例を示す断面図。
【図２】図１の要部の拡大断面図。
【図３】使用状態を示す断面図。
【符号の説明】
【００１７】
１  収容容器                            ２  容器本体
２ｂ  円錐面                            ２ｃ  最深部
３  シール手段                          ４  シート状部材
４ａ  開口部                            ５  不織布
６  供給管                              ６ａ  先端部
８  オーバーキャップ                    ８ｄ  貫通孔
【図１】
0004802812.tif 000002
【図２】
0004802812.tif 000003
【図３】
0004802812.tif 000004